(57)【要約】      （修正有）【課題】軽量かつコンパクトに収納でき、携帯性、衝撃に対する緩衝性に優れ、さらに各種情報を持ち合わせ、或いは災害時、事故時にその場や事前に各種情報を記入できる携帯式浮く防災ベストを提供する。【解決手段】ベスト本体３４と、ベスト本体３４のいずれかに備えられる複数の空気充填式の空気袋１，１ａ，２，２ａとからなる。ベスト本体３４に着脱可能に取り付けられ頭部を覆う空気充填式のエア頭巾を備える。ベスト本体又は／及びエア頭巾のいずれかに、個人情報欄、緊急連絡先欄、伝言欄、遺言欄、広告欄の内から選ばれるいずれか１種又は２種以上を設ける。【選択図】図１
0003191330.tif 000002
【実用新案登録請求の範囲】
【請求項１】
ベスト本体と、前記ベスト本体のいずれかに備えられる複数の空気充填式の空気袋と、からなることを特徴とする携帯式浮く防災ベスト。
【請求項２】
前記ベスト本体に着脱可能に取り付けられ頭部を覆う空気充填式のエア頭巾を備えることを特徴とする請求項１に記載の携帯式浮く防災ベスト。
【請求項３】
前記ベスト本体又は／及び前記エア頭巾のいずれかに、個人情報欄、緊急連絡先欄、伝言欄、遺言欄、広告欄の内から選ばれるいずれか１種又は２種以上を設けたことを特徴とする請求項１又は請求項２に記載の携帯式浮く防災ベスト。
【考案の詳細な説明】
【技術分野】
【０００１】
本考案は、主に、コンパクトに収納できる水難救助用の防災グッズに関し、さらに身元証明機能、加えてレインコート、広告機能を備えた、水難者を水に浮かせるベストに関する。より詳しくは、レインコート、浮き輪、ライフジャケット、頭巾の機能を組み合わせ、軽量かつコンパクトで携帯性に優れ、天候の急変、例えばゲリラ豪雨、津波などの天災、水難事故の場面で、いつでも、どこでも、迅速かつ容易に、また事前にも着用できる携帯式浮く防災ベストに関する。
【背景技術】
【０００２】
従来から、レインコートは雨をしのぐものであり、ライフジャケットは水難事故の際、溺れないように、身体を浮上させるものである。頭巾は落下物から頭部を保護する防災グッズである。それらは、携帯には大きく、かさばり、災害時に、多くの人は、それらを携帯していない。また、それらは個人を特定する情報に乏しいこともある。
【０００３】
そのため、津波や台風では、大勢の人々が亡くなり、行方不明、身元不明となっている。また、遺体が発見されても、各種情報の分析、解析に時間と労力、それに伴う費用を要していた。
すなわち、故人の身元の判明、その遺族への引き渡しに、時間がかかるという、問題があった。
【０００４】
津波や台風や船の転覆等の水難事故防止用のライフジャケットに関し、特許文献１−３など、いくつかの技術が公開されている。しかしながら、軽量かつコンパクトに収納でき、携帯性、衝撃に対する緩衝性に優れ、さらに各種情報を持ち合わせ、或いは災害時、事故時にその場や事前に各種情報を記入できる携帯式の防災ベスト等は知られていない。
【先行技術文献】
【特許文献】
【０００５】
【特許文献１】特開２０１３−２４８９６７号公報
【特許文献２】特開２０１３−１８４６９７号公報
【特許文献３】特開２０１３−１８４６１６号公報
【考案の概要】
【考案が解決しようとする課題】
【０００６】
そこで、本考案は、軽量かつコンパクトに収納でき、携帯性、衝撃に対する緩衝性に優れ、さらに各種情報を持ち合わせ、或いは災害時、事故時にその場や事前に各種情報を記入できる携帯式浮く防災ベストを提供することを目的とする。
【課題を解決するための手段】
【０００７】
本考案は、上記の課題を解決するために、
（１）
ベスト本体と、前記ベスト本体のいずれかに備えられる複数の空気充填式の空気袋と、からなることを特徴とする携帯式浮く防災ベスト。
（２）
前記ベスト本体に着脱可能に取り付けられ頭部を覆う空気充填式のエア頭巾を備えることを特徴とする（１）に記載の携帯式浮く防災ベスト。
（３）
前記ベスト本体又は／及び前記エア頭巾のいずれかに、個人情報欄、緊急連絡先欄、伝言欄、遺言欄、広告欄の内から選ばれるいずれか１種又は２種以上を設けたことを特徴とする（１）又は（２）に記載の携帯式浮く防災ベスト。
とした。
【考案の効果】
【０００８】
本考案は、ベスト本体に空気袋、頭巾はエア頭巾であるため、着用すれば水面にとりあえず浮くことができる。また、空気を除き、折りたたみあるいは巻物のようにすれば、コンパクトに収納でき、軽量で、容易に携帯でき、いつでも、どこでも、常備し、いざという天災、事故発生時には、迅速に本考案の携帯式浮く防災ベストを着用することができる。津波、台風、水難事故、増水した河川への脱落において、救命に多いに資する。その結果、津波、台風、その他水難事故において、怪我、溺死を低減させることができる。
【０００９】
本考案は、軽量で、携帯性に優れているため、ローソク、懐中電灯、乾パン、飲料水などと同様に、防災グッズの１つとして常備するとよい。各人の自宅・学校・勤務先・鞄・バッグ・通学通勤路・車内・自転車等に、１つずつあると安心である。未使用時は、折りたたみ傘、巻物（図２（Ｂ）、図５（Ｂ））のように、コンパクトに収納することができ、収納場所をとらない。
【００１０】
本考案は、ライフジャケットとしての機能の他、レインコート、浮き輪、広告等の機能も有する。また、空気袋が緩衝材の役割を担い、津波に巻き込まれても、また河川に流されても、障害物への衝突の衝撃、落下物の衝撃を緩和し、致命傷となる外傷も軽減することができる。
【００１１】
また、貼付部材に個人情報等、各種情報を備えることができるため、外傷等があってもスピーディーな応急処置が可能になる。また、万が一死亡したとしても、遺体発見から短時間で、遺族への遺体の引き渡しが可能になる。さらに、遺族に対して、臨終に際しての遺言、伝言なども可能になる。
【００１２】
加えて、貼付部材には、緊急連絡先欄があり、連絡先を記載する際に、家族、知人などの関係者に承諾を得るなどのコミュニケーションを図る必要があるため、日頃会話が少なく、疎遠だった家族、知人とも絆を再確認することができる副次的効果もある。また、緊急連絡先の記載を更新、変更することができるため、連絡先が変更になるごとに、継続して、関係者と連絡を取るようになる。
【００１３】
他方、本考案は、被災時に救命機能の他、漁業や農業、海水浴、釣り、キャンプ、プール遊泳などのレクレーション、娯楽、レジャー時にも使用でき、レインコートとして、また水難事故防止グッズとして期待できる。特に、海辺、川辺の方には浮くベスト（携帯式浮く防災ベスト）だけでも（津波御守りとして）持ち歩いてほしい。
【００１４】
このような本考案は、景品、誕生日プレゼント、お中元、お歳暮、バレンタインプレゼント、お祝いの品やその返礼、結婚式の引き出物、寸志、広告用品などの幅広い贈答品となり、喜ばれる。
【００１５】
ベスト本体のサイズを、犬や猫等のペットの体型に合わせれば、浮くベスト（携帯式浮く防災ベスト）だけでも、犬や猫等のペットにも使える。但し空気は飼い主が入れるものとする。
【図面の簡単な説明】
【００１６】
【図１】本考案である携帯式浮く防災ベストを構成する浮くベストの一例の装着時の正面図である。
【図２】図２（Ａ）は本考案である携帯式浮く防災ベストを構成する浮くベストの一例の装着時の背面図、（Ｂ）はコンパクト収納形態３０ｅの模式図である。
【図３】浮くベストの背面に設けられた貼付部材の一例の説明図である。
【図４】貼付部材の開いたときの拡大説明図である。
【図５】図５（Ａ）は本考案である携帯式浮く防災ベストを構成するエア頭巾の一例の装着時の正面図と、（Ｂ）はコンパクト収納形態４０ａの模式図である。
【図６】図５のエア頭巾の装着時の左側面模式図である。
【図７】図５のエア頭巾の背面模式図である。
【図８】図５のエア頭巾の背面に設けられた貼付部材の開いたときの説明図である。
【図９】本考案である携帯式浮く防災ベストの他の実施形態の装着時の正面図である。
【図１０】本考案である携帯式浮く防災ベストの他の実施形態の装着時の正面図である。
【考案を実施するための形態】
【００１７】
以下、添付の図面を参照し、本考案の実施の形態について詳細に説明する。なお、本考案は下記実施例に限定されるものではない。
【実施例１】
【００１８】
図１−８に示すように、本考案である携帯式浮く防災ベストは、浮くベスト３０と、左右袖３０ｂ、３０ｃと、エア頭巾４０とからなる。そして、例えば、図２（Ｂ）に示すように、浮くベスト３０は、巻物のようにたたむ収納形態３０ｅとし、袋３０ｆに収納し、紐３０ｇで袋３０ｆの開口部を閉じることで、折り畳み傘のようにコンパクト収納でき、かつ軽量であるので携帯に便利である。袋３０ｆの表面には、企業名などの広告欄３０ｈを設けるとよい。
【００１９】
浮くベスト３０、エア頭巾４０、いずれも単体で、人を浮かせることができる空気量を備える。浮くベスト３０は、単体でも、本考案の携帯式浮く防災ベストとなる。
【００２０】
浮くベスト３０は、ベスト本体３４と、図１に示すように正面側に備えられた複数の空気袋と、複数のポケットと、複数の収納部と、図２−４に示すように背面側に備えられた貼付部材１３とからなる。
【００２１】
左右袖３０ｂ、３０ｃは、半袖状で、ベスト本体３４の肩周り内側に、第六、第七、第八、第九面ファスナーセット８、９、１０、１１によって、着脱自在に取り付けられる。第六〜第九面ファスナーセット８〜１１は、ベスト本体３４と左右袖３０ｂ、３０ｃとにそれぞれ雄雌の面ファスナーが接着材などで固定される。第六と第八面ファスナー８、１０と、第七と第九面ファスナー９、１１は、それぞれ環状としても、分割されてもよい。
【００２２】
左右袖３０ｂ、３０ｃをベスト本体３４の内側に接続することで、雨水への防水性が高まり、レインコートとしての機能が高まる。なお、左右袖３０ｂ、３０ｃは、長袖であってもよい。また、左右袖３０ｂ、３０ｃを分離することで（図９）、レインコートとしての機能は低下するものの、より軽量かつコンパクトに収納することが可能になる。
【００２３】
さらに、通常のレインコートのように使用する場合には、ベスト本体３４の裾部の内側に面ファスナーなどで、ビニールシートを固定し、脚部をスカート状に覆う（図１０）とよい。
【００２４】
ベスト本体３４、エア頭巾４０のサイズとしては、Ｌ、Ｍ、Ｓなどのように、複数の規格を用意し、使用者にとって適切なサイズを着用できるようにする。
【００２５】
ベスト本体３４、貼付部材１３、左右袖３０ｂ、３０ｃ、エア頭巾４０の素材としては、ビニール製レインコートと同様のもの等を採用することができる。それら素材であれば、極めて低コストで製造でき、手軽に入手でき、軽量でコンパクトに収納できるため、携帯しやすい。他の空気袋、ポケット、収納部も同様の素材で、熱圧着等でベスト本体３４に融着すればよい。
【００２６】
加えて、ベスト本体３４は、ジャンパー等の一般被服を採用することもできる。一般被服に複数の空気袋を熱シールなどであらかじめ備え、又は、一般被服に面ファスナー等で複数の空気袋を着脱自在に取り付けてもよい。これにより、普段着であっても、本考案の最重要の浮かせる機能を備え、本考案の携帯式浮く防災ベストとなり得る。
【００２７】
ベスト本体３４は、左前身頃３１と、右前身頃３２と、左右前身頃３１、３２に縫製又は融着、或いは一体に成形された後身頃３３とからなる。襟３０ｄは、防寒の観点からできるだけ狭く、首にぴったりした形状が好ましい。左右前身頃３１、３２は、ファスナー３０ａで開閉する。
【００２８】
後身頃３３には、図３に示すように、エア頭巾４０を取り付ける第十面ファスナー１２と、印刷エリア３３ｃと、印刷エリア３３ｃの周囲を上側がないコの字状に囲み固定された第十一面ファスナー３３ｆとが備えられ、第十一面ファスナー３３ｆには、上側一辺が固定され折り返し可能な貼付部材１３の残り３辺が開閉可能に貼り付けられる。
【００２９】
印刷エリア３３ｃは、図４に示すように、各情報を記載した油性ペンの消去に際して消えることがない塗料で、緊急連絡先欄３３ｅを含む個人情報欄３３ｄが印刷されている。個人情報欄３３ｄ、緊急連絡先欄３３ｅに各情報を記載することで、本考案の着用者が、事故、遭難に遭遇し、外傷を負った場合でも適切かつ迅速な治療を受けることができる。仮に、遺体となった場合でも、早期に遺体を、遺族に引き渡すことが可能になる。なお、個人情報は、油性ペンなどで、直接印刷エリアに記載する。
【００３０】
複数の空気袋は、図１に示すように、左前身頃３１のファスナー３０ａ側に融着などで固定された左上空気袋１と、左上空気袋１の下側に同様に固定された左下空気袋１ａと、右前身頃３２のファスナー３０ａ側に融着などで固定された右上空気袋２と、右上空気袋２の下側に同様に固定された右下空気袋２ａとからなる。
【００３１】
それら空気袋は、呼吸の排気などで空気を送り込む吹込口１ｂ、２ｂを備える。空気袋は、災害、被災時に空気を吹込、ふくらませ、装着する。空気袋は、数分もあれば、人の排気で、十分に空気袋をふくらますことができ、まとその空気量で、十分に人を水面に浮かすことができる。
【００３２】
吹込口１ｂ、２ｂの構造は、浮き輪の吹込口と同様の構造で逆止弁が備えられており、容易に、空気袋に空気を送り込むことができ、漏れがすくない。空気を抜くときは、浮き輪同様に、吹込口を扁平させればよい。他の吹込口も同じである。
【００３３】
複数の空気袋を分割して備えることで、１つの空気袋が破裂等により破損しても、他の空気袋の浮力で、遭難者を溺れさせず、死体も沈まないように維持することができる。
【００３４】
複数のポケットは、左前身頃３１に備えられる第一ポケット３と、右前身頃３２に備えられる第二ポケット４及び第二ポケット４の下方に備えられる第三ポケットと、第一、第三ポケット３、５のそれぞれ下方に備えられる第四、第五ポケット６、７からなる。
【００３５】
第一ポケットは、細長で、主に、ペットボトル飲料３ｂを収納する。ペットボトルに、水、その他清涼飲料水などが充填されていれば、海上での遭難であっても、いく日分かの最低限の飲料水を確保することができる。また、空のペットボトルを第一ポケット３に収納すれば、ベスト本体３４の浮力の足しとなる。
【００３６】
第二〜第五ポケット４〜７は、防水性を高め、財布、携帯電話など精密機器、自動車運転免許証、各種金融等のカードなどの収納に用いる。第四、第五ポケット６、７は、第二、第三ポケット４、５より容量が大きめである。これら複数のポケットは、収納物によって適宜大きさを変更することができる。
【００３７】
第一〜第五ポケット３〜７の開閉は、それぞれ第一〜五面ファスナーセット３ａ〜７ａによる開閉が例示できる。防水性を高めたいときは、他の密着式の開閉機構、例えば窪みに凸部を貫入するラインチャックなど、を採用するとよい。
【００３８】
複数の収納部は、左前身頃３１の下端部に設けられたペンライト収納部６ｂと、右前身頃３２の下端部に設けられ、貼付部材１３の各欄に各種情報を記載するペンを収納するペン収納部７ｂとからなる。収納されるペンは、水難事故でも消えることのない油性ペンが望ましい。
【００３９】
なお、ベスト本体３４のスペース、各部材に、蛍光塗料、反射テープを貼付することで、夜間の早期発見、雨天のときの交通事故防止に効果がある。エア頭巾４０においても同じ。特に、左右上空気袋１、２、左右下空気袋３、４の部分に、蛍光塗料を塗るとよい。夜間での遭難者の捜索において、早期発見が期待される。
【００４０】
貼付部材１３は、外表面１３ａに説明欄１３ｂ、広告欄１３ｃが印刷され、内表面１３ｆに伝言欄１３ｇ、遺言欄１３ｈが外表面１３ａと上下逆向きに印刷されたシートで、内表面１３ｆの周囲には後身頃３３の第十一面ファスナー３３ｆに貼り付く、第十二面ファスナー１３ｅが備えられ、印刷エリア３３ｃを覆うように、第十一面ファスナー３３ｆに着脱自在に取り付けられる。
【００４１】
各欄には、各種情報が記載される。各種情報は、耐水性があるインク、例えば油性ペンで記載されることが望ましい。また、油性ペンであっても、有機溶剤で消すことができるため、記載内容の変更も可能である。
【００４２】
貼付部材１３の上端のシール部１３ｄは、ベスト本体３４に線状に熱シールされる部分で、貼付部材１３を上下に折り返し、開閉することができる。普段は、内部の内表面１３ｆ、印刷エリア３３ｃに記載された個人情報欄３３ｄが、貼付部材１３で覆われ見られないようにできる。したがって、貼付部材１３は、緋透明の素材とするとよい。
【００４３】
説明欄１３ｂは、本考案の使用方法を簡単に記載する欄である。被災者に本考案の使用方法をいち早く知らせることができる。
【００４４】
広告欄１３ｃは、企業広告、ＰＲ等を記載する。例えば、企業が、海辺の近くの小学校等に本考案を寄贈した場合に、第一義的には子供たちの防災に役立つとともに、併せて企業ＰＲになる。本考案によって、救命された場合には、企業への思い入れが高まり、企業にとって極めて有効な宣伝効果を発揮する。
【００４５】
伝言欄１３ｇは、被災時の前に、或いは被災時に、家族や職場や特定の人等に向けた伝言が記載される。
【００４６】
遺言欄１３ｈは、被災時の前に、或いは被災時に、死期を感じた場合には、遺族等への遺言を記載する。突然の災難、事故に遭遇しても、遺族等へ伝言、遺言を可能にする。あらかじめ記載しておいてもよい。
【００４７】
エア頭巾４０は、図５−８に示すように、左右空気袋１６、１７と、上部空気袋１８と、後部空気袋１９と、顎紐２０と、フェイスカバー２１と、背面カバー２２と、第二貼付部材２３とからなる。エア頭巾４０の場合には、左右空気袋１６、１７、上部空気袋１８の正面側に蛍光塗料を塗るとよい。
【００４８】
そして、例えば、図５（Ｂ）に示すように、エア頭巾４０は、巻物のようにたたむ収納形態４０ａとし、袋４０ｂに収納し、紐４０ｃで袋４０ｂｆの開口部を閉じることで、折り畳み傘のようにコンパクト収納でき、かつ軽量であるので携帯に便利である。袋４０ｂｆの表面には、企業名などの広告欄４０ｄを設けるとよい。なお、エア頭巾４０は、袋３０ｆに、浮くベスト３０とともに、収納してもよい。
【００４９】
左右側面空気袋１６、１７は、頭部の左右に位置し、頭部を保護する。上部空気袋１８は、左右側面空気袋１６、１７の上方に位置し、頭頂部を保護する。後部空気袋１９は、左右側面空気袋１６、１７及び上部空気袋１８の背面側に位置し、後頭部を保護する。
【００５０】
これら各空気袋は、一体に連結されるも、空気充填内部空間はそれぞれ区分けされ、それぞれに空気の吹込口１６ａ、１７ａ、１８ａ、１９ａが備えられる。それぞれの空間に呼気を吹き込み、膨らませる。膨らんだ空気袋で囲まれた内部スペースに頭部を挿入する。そして、左右側面空気袋１６、１７は、一方の側面空気袋に他端を取り付け顎の下に引き回された顎紐２０を、他方の側面空気袋側の第十六面ファスナー２０ａにくっつけて脱落しないように頭部に装着される。
【００５１】
その結果、頭を水面に浮かせ、呼吸を確実に確保できるようにするとともに、頭部への衝撃を緩和し、外傷を軽減させる。１つの空気袋が破損しても、頭部を浮かせる浮力を備えることが望ましい。
【００５２】
後部空気袋１９には、図８に示すように、浮くベスト３０の後身頃３３の印刷エリア３３ｃと同様の第二印刷エリア４３ｃ、第十七面ファスナー４３ｆが設けられている。第二印刷エリア４３ｃには、第二緊急連絡先欄４３ｅを含む個人情報欄４３ｄが印刷されている。それら構成、情報、効果は、印刷エリア３３ｃと同じであるので、ここではその説明を省略する。
【００５３】
フェイスカバー２１は、左右側面空気袋１６，１７の正面側及びフェイスカバー２１に備えられる第十四面ファスナーセット１６ｂ、第十五面ファスナーセット１７ｂによって、着脱自在に左右側面空気袋１６、１７及び上部空気袋１８の正面側に取り付けられる透明のフィルムで、顔、特に目を風雪、ゴミから保護する。
【００５４】
フェイスカバー２１の表面側には、左右には、それぞれ、左上下面ファスナー２１ａ、２１ｂ、右上下面ファスナー２１ｃ、２１ｄがそれぞれ設けられている。フェイスカバー２１を上下に折曲げ（折り線２１ｅ）、それら上下面ファスナーをくっつけることで、眼鏡等を使用する着用者にとって、フェイスカバー２１が邪魔にならない。
【００５５】
背面カバー２２は後部空気袋１９の底部から垂れ下がり、首後部を覆う。背面カバー２２は、ベスト本体３４の後身頃３３の上部の第十面ファスナー１２に着脱自在に取り付けられる第二十面ファスナー２２ａを備える。これにより、浮くベスト３０とエア頭巾４０とは連結され、首周りも保護するとともに、高い浮力、衝撃緩和能力を発揮する本考案の一形態である携帯式浮く防災ベストを形成する。エア頭巾４０単体でも使用できる。
【００５６】
第二貼付部材２３は、図７、８に示すように、浮くベスト３０の貼付部材１３と同様で、外表面２３ａに第二説明欄２３ｂ、第二広告欄２３ｃが印刷され、内表面２３ｆに第二伝言欄２３ｇ、第二遺言欄２３ｈが外表面２３ａと上下逆向きに印刷されたシートで、内表面２３ｆの周囲には後部空気袋１９の第十七面ファスナー４３ｆに貼り付く、第十八面ファスナー２３ｅが備えられ、第二印刷エリア４３ｃを覆うように、第十七面ファスナー４３ｆに着脱自在に取り付けられる。
【００５７】
貼付部材２３の上端の第二シール部２３ｄは、後部空気袋１９に線状に熱シールされる部分で、貼付部材２３を上下に折り返し、開閉することができる。それら構成、情報、効果は、貼付部材１３と同じであるので、ここではその説明を省略する。
【実施例２】
【００５８】
図９に示すように、本考案である携帯式浮く防災ベスト５０は、実施例１の浮くベスト３０から、左右袖３０ｂ、３０ｃを取り除いたもので、他の形態は実施例１と同じである。このように、浮くベスト３０から左右袖３０ｂ、３０ｃを取り除き、チョッキ形状にすることで、レインコートとしての機能は低下するものの、一層コンパクトに収納でき、携帯性が向上する。
【実施例３】
【００５９】
図１０に示すように、本考案である携帯式浮く防災ベスト６０は、実施例１の浮くベスト３０のベスト本体３４を、裾部分の内側に面ファスナー６１ａを備えるベスト本体６１とし、面ファスナー６１ａに貼り付く面ファスナー６２ａを一辺部分に備える方形のビニールなどの下半身用シート６２とからなる。
【００６０】
下半身用シート６２は、上部がベスト本体６１の内側に接続し、臀部、脚部分を包み、正面で重ね合わされるため、携帯式浮く防災ベスト６０全体としてレインコートの機能が強化されつつ、歩行の邪魔にならない。
【符号の説明】
【００６１】
１      左上空気袋
１ａ    左下空気袋
１ｂ    吹込口
２      右上空気袋
２ａ    右下空気袋
２ｂ    吹込口
３      第一ポケット
３ａ    第一面ファスナーセット
３ｂ    ペットボトル飲料
４      第二ポケット
４ａ    第二面ファスナーセット
５      第三ポケット
５ａ    第三ファスナーセット
６      第四ポケット
６ａ    第四面ファスナーセット
６ｂ    ペンライト収納部
７      第五ポケット
７ａ    第五面ファスナーセット
７ｂ    ペン収納部
８      第六面ファスナーセット
８ａ    面ファスナー
９      第七面ファスナーセット
９ａ    面ファスナー
１０    第八面ファスナーセット
１１    第九面ファスナーセット
１２    第十面ファスナー
１３    貼付部材
１３ａ  外表面
１３ｂ  説明欄
１３ｃ  広告欄
１３ｄ  シール部
１３ｅ  第十二面ファスナー
１３ｆ  内表面
１３ｇ  伝言欄
１３ｈ  遺言欄
１６    左側面空気袋
１６ａ  吹込口
１６ｂ  第十四面ファスナーセット
１７    右側面空気袋
１７ａ  吹込口
１７ｂ  第十五面ファスナーセット
１８    上部空気袋
１８ａ  吹込口
１９    後部空気袋
１９ａ  吹込口
２０    顎紐
２０ａ  第十六面ファスナー
２１    フェイスカバー
２１ａ  左上面ファスナー
２１ｂ  左下面ファスナー
２１ｃ  右上面ファスナー
２１ｄ  右下面ファスナー
２１ｅ  折り線
２２    背面カバー
２２ａ  第二十面ファスナー
２３    第二貼付部材
２３ａ  外表面
２３ｂ  第二説明欄
２３ｃ  第二広告欄
２３ｄ  第二シール部
２３ｅ  第十八面ファスナー
２３ｆ  内表面
２３ｇ  第二伝言欄
２３ｈ  第二遺言欄
３０    浮くベスト
３０ａ  ファスナー
３０ｂ  左袖
３０ｃ  右袖
３０ｄ  襟
３０ｅ  収納形態
３０ｆ  袋
３０ｇ  紐
３０ｈ  広告欄
３１    左前身頃
３２    右前身頃
３３    後身頃
３３ｃ  印刷エリア
３３ｄ  個人情報欄
３３ｅ  緊急連絡先欄
３３ｆ  第十一面ファスナー
３４    ベスト本体
４０    エア頭巾
４０ａ  収納形態
４０ｂ  袋
４０ｃ  紐
４０ｄ  広告欄
４３ｃ  第二印刷エリア
４３ｄ  第二個人情報欄
４３ｅ  第二緊急連絡先欄
４３ｆ  第十七面ファスナー
５０    携帯式浮く防災ベスト
６０    携帯式浮く防災ベスト
６１    ベスト本体
６１ａ  面ファスナー
６２    下半身用シート
６２ａ  面ファスナー
【図１】
0003191330.tif 000003
【図２】
0003191330.tif 000004
【図３】
0003191330.tif 000005
【図４】
0003191330.tif 000006
【図５】
0003191330.tif 000007
【図６】
0003191330.tif 000008
【図７】
0003191330.tif 000009
【図８】
0003191330.tif 000010
【図９】
0003191330.tif 000011
【図１０】
0003191330.tif 000012
【手続補正書】
【提出日】平成26年4月11日(2014.4.11)
【手続補正１】
【補正対象書類名】実用新案登録請求の範囲
【補正対象項目名】全文
【補正方法】変更
【補正の内容】
【実用新案登録請求の範囲】
【請求項１】
ベスト本体と、前記ベスト本体のいずれかに備えられる複数の空気充填式の空気袋と、からなることを特徴とする携帯式浮く防災ベスト。
【請求項２】
前記ベスト本体に着脱可能に取り付けられ頭部を覆う空気充填式のエア頭巾を備えることを特徴とする請求項１に記載の携帯式浮く防災ベスト。
【請求項３】
前記ベスト本体のいずれかに、個人情報欄、緊急連絡先欄、伝言欄、遺言欄、広告欄の内から選ばれるいずれか１種又は２種以上を設けたことを特徴とする請求項１に記載の携帯式浮く防災ベスト。
【請求項４】
前記ベスト本体又は／及び前記エア頭巾のいずれかに、個人情報欄、緊急連絡先欄、伝言欄、遺言欄、広告欄の内から選ばれるいずれか１種又は２種以上を設けたことを特徴とする請求項２に記載の携帯式浮く防災ベスト。
【手続補正２】
【補正対象書類名】明細書
【補正対象項目名】０００７
【補正方法】変更
【補正の内容】
【０００７】
本考案は、上記の課題を解決するために、
（１）
ベスト本体と、前記ベスト本体のいずれかに備えられる複数の空気充填式の空気袋と、からなることを特徴とする携帯式浮く防災ベスト。
（２）
前記ベスト本体に着脱可能に取り付けられ頭部を覆う空気充填式のエア頭巾を備えることを特徴とする（１）に記載の携帯式浮く防災ベスト。
（３）
前記ベスト本体のいずれかに、個人情報欄、緊急連絡先欄、伝言欄、遺言欄、広告欄の内から選ばれるいずれか１種又は２種以上を設けたことを特徴とする（１）に記載の携帯式浮く防災ベスト。
（４）
前記ベスト本体又は／及び前記エア頭巾のいずれかに、個人情報欄、緊急連絡先欄、伝言欄、遺言欄、広告欄の内から選ばれるいずれか１種又は２種以上を設けたことを特徴とする（２）に記載の携帯式浮く防災ベスト。
とした。